【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
低温流体を被処理領域に噴霧する適用工程により美容処理を実行するための装置であって、
低温流体のレザーバ（２）と、前記レザーバの内部から放出ノズル（１０）へ向かって、ノズル（９）を介して下流に前記低温流体を通過させるためのソレノイドバルブ（７）とを備え、
前記ソレノイドバルブ（７）は、０．１秒まで、事前に定めた特定の時間で開かれることを可能にする電子時間調節システム（４）と関連し、および
前記ノズル（９）は、低温流体のフローを制限するための手段を備えている、装置。
【請求項２】
請求項１に記載の装置であって、前記ノズルは疎水性で、非熱導体材料から作られる、装置。
【請求項３】
請求項１または２に記載の装置であって、前記ノズル（９）は、少なくとも１つの本体（９１、９２、９３）で構成され、前記本体は、少なくとも１つの内部の導路を備え、前記導路は、流体の流量を制限する手段であり、長さ３〜１２ｍｍおよび内径０．１５〜３．５ｍｍである、装置。
【請求項４】
請求項１から３のいずれか一項に記載の装置であって、前記ノズルは、少なくとも１つの中間シール（Ｊ１、Ｊ２）を押し込むことにより積み重ねて組み立てられた２つの本体（９２、９３）で構成され、それらの導路が直列に同軸で接続されている、装置。
【請求項５】
請求項３または４の装置であって、前記内部の導路が、軸性で、円柱−円錐形である、装置。
【請求項６】
請求項１〜５のいずれか一項に記載の装置であって、前記本体（９１、９２、９３）はくぼみをそれぞれ備え、上部（９２ａ、９３ａ）および底部（９２ｄ、９３ｄ）で、密閉する継ぎ目（Ｊ１、Ｊ２）を受ける、装置。
【請求項７】
請求項１〜６のいずれか一項に記載の装置であって、本体（９２、９３）は、それぞれ２つの内部導路を備え、それぞれの内部導路は、上流側の導路（９２ｂ、９３ｂ）が少なくとも部分的に円錐形であり停留チャンバを形成し、前記上流側の導路より小径の円筒状の導路（９２ｃ、９３ｃ）において下流側で開口する、装置。
【請求項８】
請求項１〜７のいずれか一項に記載の装置の美容処理のための使用であって、前記美容処理は、皮膚の色素沈着過度を有する被験者の手、顔、四肢または胸に位置された皮膚上のダークスポットの少なくとも１つを除去するために設計された、皮膚上のダークスポットの美容処理であって、
選択的にメラノサイトに作用するために、連続して２〜１０秒間、−４℃〜−１５℃の皮膚温度を引き起こすよう、低温流体を被処理領域に噴霧する適用工程で構成される、使用。
【請求項９】
請求項８に記載の使用であって、２〜１０秒間の全適用中において、前記スポット上の前記皮膚温度が−４℃〜−１５℃の間にある、使用。
【請求項１０】
請求項８または９に記載の使用であって、前記低温流体は、−２０℃〜−６５℃の沸点を有する流体から選ばれる、使用。
【請求項１１】
請求項８〜１０のいずれか一項に記載の使用であって、前記低温流体が最大の初期圧力１０バールで輸送される、使用。
【請求項１２】
請求項８〜１１のいずれか一項に記載の使用であって、前記低温流体がジフルオロエタン（１５２Ａ）である、使用。
【請求項１３】
請求項８〜１２のいずれか一項に記載の使用であって、前記低温流体がテトラフルオロエタン（１３４Ａ）である、使用。
【請求項１４】
請求項８〜１３のいずれか一項に記載の使用であって、前記領域上における、前記低温流体の適用期間が、２〜４秒間である、使用。
【請求項１５】
請求項８〜１４のいずれか一項に記載の使用であって、低温流体を、１つのスポット当たり単回適用することからなる、使用。
【請求項１６】
請求項８〜１５のいずれか一項に記載の使用であって、被験者の皮膚上の低温流体の適用が、３０ｍｍ2未満の領域に制限されている、使用。
【手続補正２】
【補正対象書類名】明細書
【補正対象項目名】００５３
【補正方法】変更
【補正の内容】
【００５３】
上述したように、本発明は、角化細胞ではなくメラノサイトに対して低温細胞選択的な作用を得るための、皮膚組織の美容処理のための方法を提供する。既に述べたように、低温細胞選択的な作用または低温細胞選択性とは、少なくとも１つの他の細胞または他の細胞集団に作用することなく、ある組織の細胞集団に対して作用する選択作用を指す。
本発明は他の組織中で他のタイプの細胞集団に適用しうる。細胞集団との用語は、その最も広い意味に理解され、すなわち同じ特性を有している細胞の集合であり、例えば、すべての起源、原核生物または真核生物の、ヒト、動物または植物の細胞種、細胞系統、幹細胞が該当する。
さらに、本発明の方法は、さらに細胞の構成要素に適用されてもよく、すなわち、細胞小器官に適用されてもよく、例えば、メラノソーム、核小体、核、リボソーム、小胞、小胞体、ゴルジ、細胞骨格、ミトコンドリア、液胞、細胞質ゾル、リソソーム、中心体および原形質膜を含み、これらに限定されない。
上述される本発明の方法は、ある細胞集団、構造または標的生物のために有害な温度範囲を決定できる一方で、その範囲において、別の集団または周囲の組織が、顕著な形、または許容できない形で影響されないのであれば、同様に適用することが可能である。
なお、本発明は、態様として以下の内容を含む。
〔態様１〕
皮膚の色素沈着過度を有する被験者の手、顔、四肢または胸に位置された皮膚上のダークスポットの少なくとも１つを除去するために設計された、皮膚上のダークスポットの美容処理であって、
選択的にメラノサイトに作用するために、連続して２〜１０秒間、−４℃〜−１５℃の皮膚温度を引き起こすよう、低温流体を被処理領域に噴霧する適用工程で構成される、美容処理。
〔態様２〕
態様１に記載の美容処理であって、２〜１０秒間の全適用中において、前記スポット上の前記皮膚温度が−４℃〜−１５℃の間にある、美容処理。
〔態様３〕
態様１または２に記載の美容処理であって、前記低温流体は、−２０℃〜−６５℃の沸点を有する流体から選ばれる、美容処理。
〔態様４〕
態様１〜３のいずれか一態様に記載の美容処理であって、前記低温流体が最大の初期圧力１０バールで輸送される、美容処理。
〔態様５〕
態様１〜４のいずれか一態様に記載の美容処理であって、前記低温流体がジフルオロエタン（１５２Ａ）である、美容処理。
〔態様６〕
態様１〜４のいずれか一態様に記載の美容処理であって、前記低温流体がテトラフルオロエタン（１３４Ａ）である、美容処理。
〔態様７〕
態様１〜６のいずれか一態様に記載の美容処理であって、前記領域上における、前記低温流体の適用期間が、２〜４秒間である、美容処理。
〔態様８〕
態様１〜７のいずれか一態様に記載の美容処理であって、低温流体を、１つのスポット当たり単回適用することからなる、美容処理。
〔態様９〕
態様１〜８のいずれか一態様に記載の美容処理であって、被験者の皮膚上の低温流体の適用が、３０ｍｍ2未満の領域に制限されている、美容処理。
〔態様１０〕
態様１〜９のいずれか一態様に記載の美容処理を実行するための装置であって、
低温流体のレザーバ（２）と、前記レザーバの内部から放出ノズル（１０）へ向かって、ノズル（９）を介して下流に前記低温流体を通過させるためのソレノイドバルブ（７）とを備え、
前記ソレノイドバルブ（７）は、０．１秒まで、事前に定めた特定の時間で開かれることを可能にする電子時間調節システム（４）と関連し、および
前記ノズル（９）は、低温流体のフローを制限するための手段を備えている、装置。
〔態様１１〕
態様１０に記載の装置であって、前記ノズルは疎水性で、非熱導体材料から作られる、装置。
〔態様１２〕
態様１０または１１に記載の装置であって、前記ノズル（９）は、少なくとも１つの本体（９１、９２、９３）で構成され、前記本体は、少なくとも１つの内部の導路を備え、前記導路は、流体の流量を制限する手段であり、長さ３〜１２ｍｍおよび内径０．１５〜３．５ｍｍである、装置。
〔態様１３〕
態様１０から１２のいずれか一態様に記載の装置であって、前記ノズルは、少なくとも１つの中間シール（Ｊ１、Ｊ２）を押し込むことにより積み重ねて組み立てられた２つの本体（９２、９３）で構成され、それらの導路が直列に同軸で接続されている、装置。
〔態様１４〕
態様１２または１３の装置であって、前記内部の導路が、軸性で、円柱−円錐形である、装置。
〔態様１５〕
態様１０〜１４のいずれか一態様に記載の装置であって、前記本体（９１、９２、９３）はくぼみをそれぞれ備え、上部（９２ａ、９３ａ）および底部（９２ｄ、９３ｄ）で、密閉する継ぎ目（Ｊ１、Ｊ２）を受ける、装置。
〔態様１６〕
態様１０〜１５のいずれか一態様に記載の装置であって、本体（９２、９３）は、それぞれ２つの内部導路を備え、それぞれの内部導路は、上流側の導路（９２ｂ、９３ｂ）が少なくとも部分的に円錐形であり停留チャンバを形成し、前記上流側の導路より小径の円筒状の導路（９２ｃ、９３ｃ）において下流側で開口する、装置。